(57)【要約】【課題】放送を介して送信される映像コンテンツによる広告効果をより精度良く把握する。【解決手段】コンテンツサーバ４１にアクセス可能な映像再生装置３０と、サーバ装置４０とを備える情報収集システム１であって、映像再生装置３０は、放送を介して受信された映像コンテンツを再生する再生部１１２ａと、映像コンテンツの再生中にコンテンツサーバ４１にアクセスする場合に、当該映像コンテンツを特定するための映像特定情報をサーバ装置４０に送信する制御部１２２とを備え、サーバ装置４０は、映像特定情報を受信する受信部１３２ａと、受信部１３２ａによって受信された映像特定情報と、コンテンツサーバ４１を特定するためのサーバ特定情報とを対応付けてアクセスログ情報として記録するログ情報生成部１４２ｂと、アクセスログ情報に基づいて、映像コンテンツの再生中にコンテンツサーバ４１がアクセスされた回数を集計する解析部１４２ｃとを備える。【選択図】図１
2016163140.tif 000002
【特許請求の範囲】
【請求項１】
コンテンツサーバにアクセス可能な映像再生装置と、サーバ装置とを備える情報収集システムであって、
前記映像再生装置は、
放送を介して受信された映像コンテンツを再生する再生部と、
前記映像コンテンツの再生中に前記コンテンツサーバにアクセスする場合に、当該映像コンテンツを特定するための映像特定情報を前記サーバ装置に送信する制御部とを備え、
前記サーバ装置は、
前記制御部によって送信された映像特定情報を受信する受信部と、
前記受信部によって受信された映像特定情報と、前記コンテンツサーバを特定するためのサーバ特定情報とを対応付けてアクセスログ情報として記録するログ情報生成部と、
前記アクセスログ情報に基づいて、前記映像コンテンツの再生中に前記コンテンツサーバがアクセスされた回数を集計する解析部とを備える
情報収集システム。
【請求項２】
前記映像再生装置は、複数の前記コンテンツサーバにアクセス可能であり、
前記解析部は、前記コンテンツサーバ毎に、前記回数を集計する
請求項１に記載の情報収集システム。
【請求項３】
前記情報収集システムは、前記映像再生装置を複数備え、
前記アクセスログ情報では、さらに、前記映像再生装置を特定するための端末特定情報が対応付けられ、
前記解析部は、前記アクセスログ情報に含まれる端末特定情報によって特定される映像再生装置のうち一意な映像再生装置の数を、前記回数として集計する
請求項１又は２に記載の情報収集システム。
【請求項４】
前記解析部は、さらに、所定期間の前記アクセスログ情報から集計した回数を、前記情報収集システムが備える複数の前記映像再生装置の少なくとも一部の数で割ることで、波及率を算出する
請求項３に記載の情報収集システム。
【請求項５】
前記解析部は、さらに、所定期間の前記アクセスログ情報から集計した回数を、前記所定期間のアクセスログ情報に含まれる端末特定情報によって特定される映像再生装置の数で割ることで、波及率を算出する
請求項３に記載の情報収集システム。
【請求項６】
前記映像再生装置は、さらに、放送を介して、前記映像コンテンツを受信する放送受信部を備える
請求項１〜５のいずれか１項に記載の情報収集システム。
【請求項７】
前記映像再生装置は、
前記再生部と前記放送受信部とを備える映像受信装置と、
前記制御部を備える端末装置とを備え、
前記端末装置は、さらに、前記映像受信装置と通信する通信部を備え、
前記制御部は、さらに、前記通信部を介して、前記映像受信装置から前記映像特定情報を取得する
請求項６に記載の情報収集システム。
【請求項８】
前記映像特定情報は、前記映像コンテンツの放送チャンネルを示すチャンネル情報である
請求項７に記載の情報収集システム。
【請求項９】
前記端末装置は、さらに、前記コンテンツサーバを指定するユーザ操作を受け付ける受付部を備え、
前記制御部は、さらに、前記受付部が受け付けたユーザ操作が指定するコンテンツサーバにアクセスする
請求項７又は８に記載の情報収集システム。
【請求項１０】
前記映像再生装置は、さらに、前記映像コンテンツが記録された記録媒体から前記映像コンテンツを読み出す読み出し部を備える
請求項１〜９のいずれか１項に記載の情報収集システム。
【請求項１１】
前記サーバ装置は、
前記受信部を備える前記コンテンツサーバと、
前記ログ情報生成部及び前記解析部を備えるメタ情報サーバとを備え、
前記コンテンツサーバは、さらに、
前記受信部によって受信された映像特定情報と、当該コンテンツサーバに固有のサーバ識別情報とを含むメタ要求を、前記メタ情報サーバに送信する送信部と、
ウェブコンテンツを生成するコンテンツ生成部とを備え、
前記送信部は、さらに、前記コンテンツ生成部によって生成されたウェブコンテンツを前記映像再生装置に送信し、
前記メタ情報サーバは、さらに、
前記メタ要求に含まれる映像特定情報によって特定される映像コンテンツのメタ情報を、前記コンテンツサーバに送信するメタ情報管理部を備え、
前記ログ情報生成部は、前記メタ要求に含まれるサーバ識別情報を前記サーバ特定情報として記録し、
前記受信部は、前記メタ情報管理部によって送信されたメタ情報を受信し、
前記コンテンツ生成部は、前記受信部によって受信されたメタ情報が反映されたウェブコンテンツを生成する
請求項１〜１０のいずれか１項に記載の情報収集システム。
【請求項１２】
請求項１〜１１のいずれか１項に記載の情報収集システムにおける映像再生装置。
【請求項１３】
請求項１〜１１のいずれか１項に記載の情報収集システムにおけるサーバ装置。
【請求項１４】
コンテンツサーバにアクセス可能な映像再生装置と、サーバ装置とを備える情報収集システムにおける情報収集方法であって、
前記映像再生装置が、放送を介して受信された映像コンテンツを再生し、
前記映像再生装置が、前記映像コンテンツの再生中に前記コンテンツサーバにアクセスする場合に、当該映像コンテンツを特定するための映像特定情報を前記サーバ装置に送信し、
前記サーバ装置が、送信された映像特定情報を受信し、
前記サーバ装置が、受信された映像特定情報と、前記コンテンツサーバを特定するためのサーバ特定情報とを対応付けてアクセスログ情報として記録し、
前記サーバ装置が、前記アクセスログ情報に基づいて、前記映像コンテンツの再生中に前記コンテンツサーバがアクセスされた回数を集計する
情報収集方法。
【発明の詳細な説明】
【技術分野】
【０００１】
本開示は、広告効果を把握するための情報を収集する情報収集システム及び情報収集方法などに関する。
【背景技術】
【０００２】
広告効果を把握することで、効果的に広告を行いたいという要望がある。このため、広告効果を把握するための情報を収集する様々な技術が開発されている。
【０００３】
例えば、広告効果を示す指標の１つとして、テレビ番組の視聴率がある。例えば、特許文献１には、携帯電話などの移動体端末でテレビ番組を視聴しているユーザに対する番組視聴率を測定する技術が開示されている。
【先行技術文献】
【特許文献】
【０００４】
【特許文献１】特許第５１２３７６５号公報
【発明の概要】
【発明が解決しようとする課題】
【０００５】
しかしながら、テレビ番組の視聴率は、広告効果を充分に反映しているとはいえない。視聴率は、放送される番組又は広告を見た視聴者の割合を示しているものの、視聴者がどの程度、番組又は広告に対して興味を持ったかということまでは分からない。
【０００６】
そこで、本開示は、放送を介して送信される映像コンテンツによる広告効果をより精度良く把握することができる情報収集システム及び情報収集方法などを提供する。
【課題を解決するための手段】
【０００７】
上記課題を解決するため、本開示に係る情報収集システムは、コンテンツサーバにアクセス可能な映像再生装置と、サーバ装置とを備える情報収集システムであって、映像再生装置は、放送を介して受信された映像コンテンツを再生する再生部と、映像コンテンツの再生中にコンテンツサーバにアクセスする場合に、当該映像コンテンツを特定するための映像特定情報をサーバ装置に送信する制御部とを備え、サーバ装置は、制御部によって送信された映像特定情報を受信する受信部と、受信部によって受信された映像特定情報と、コンテンツサーバを特定するためのサーバ特定情報とを対応付けてアクセスログ情報として記録するログ情報生成部と、アクセスログ情報に基づいて、映像コンテンツの再生中にコンテンツサーバがアクセスされた回数を集計する解析部とを備える。
【発明の効果】
【０００８】
本開示によれば、放送を介して送信される映像コンテンツによる広告効果をより精度良く把握することができる。
【図面の簡単な説明】
【０００９】
【図１】実施の形態に係る情報収集システムの構成を示すブロック図である。
【図２】実施の形態に係る放送局の構成を示すブロック図である。
【図３】実施の形態に係る番組メタ情報を示す図である。
【図４】実施の形態に係るテレビ受信機の構成を示すブロック図である。
【図５】実施の形態に係る端末装置の構成を示すブロック図である。
【図６】実施の形態に係るコンテンツサーバの構成を示すブロック図である。
【図７】実施の形態に係るメタ情報サーバの構成を示すブロック図である。
【図８】実施の形態に係るメタ管理テーブルを示す図である。
【図９】実施の形態に係るアクセスログテーブルを示す図である。
【図１０】実施の形態に係る世帯テーブルを示す図である。
【図１１】実施の形態に係る波及率テーブルを示す図である。
【図１２】実施の形態に係る情報収集システムの動作（情報収集方法）を示すシーケンス図である。
【図１３】実施の形態に係るアクセスログテーブルの生成方法を示すフローチャートである。
【図１４】実施の形態に係る波及率テーブルの生成方法を示すフローチャートである。
【図１５】実施の形態の変形例に係る波及率テーブルを示す図である。
【発明を実施するための形態】
【００１０】
以下、適宜図面を参照しながら、実施の形態を詳細に説明する。ただし、必要以上に詳細な説明は省略する場合がある。例えば、すでによく知られた事項の詳細説明、及び、実質的に同一の構成に対する重複説明などを省略する場合がある。これは、以下の説明が不必要に冗長になるのを避け、当業者の理解を容易にするためである。
【００１１】
なお、発明者らは、当業者が本開示を十分に理解するために添付図面及び以下の説明を提供するのであって、これらによって特許請求の範囲に記載の主題を限定することを意図するものではない。
【００１２】
また、各図は、模式図であり、必ずしも厳密に図示されたものではない。また、各図において、同じ構成部材については同じ符号を付している。
【００１３】
（実施の形態）
以下、図１〜図１４を用いて、実施の形態に係る情報収集システム及び情報収集方法などについて説明する。
【００１４】
［１．構成］
［１−１．システムの全体構成］
図１は、本実施の形態に係る情報収集システム１の構成を示す図である。
【００１５】
情報収集システム１は、広告効果を把握するための情報を収集するシステムである。本実施の形態では、情報収集システム１は、放送を介して送信された映像コンテンツの再生中にコンテンツサーバ（例えば、ネットメディア）がアクセスされた回数を集計する。具体的には、情報収集システム１は、映像コンテンツ毎に、アクセスされたコンテンツサーバの一覧を提示し、かつ、コンテンツサーバ毎のアクセス回数を集計する。より具体的には、情報収集システム１は、映像コンテンツ毎に、コンテンツサーバ毎の「波及率」を算出する。
【００１６】
波及率は、本実施の形態に係る情報収集システム１が収集する情報であって、広告効果を把握するための情報の一例である。波及率は、映像コンテンツの放送が視聴者に与えた広告効果を精度良く表す指標として用いることができる。波及率は、例えば、映像コンテンツの視聴者（あるいは、視聴していない者も含んでもよい）のうちコンテンツサーバにアクセスした視聴者の比率を示す。
【００１７】
例えば、第１映像コンテンツと第１コンテンツサーバとに対応する「波及率が高い」ことは、第１映像コンテンツを放送することで、第１コンテンツサーバへアクセスした視聴者が多いことを意味する。したがって、第１映像コンテンツを放送する場合には、第１コンテンツサーバに広告を載せることで、広告効果を高めることができる。
【００１８】
第２映像コンテンツと第２コンテンツサーバとに対応する「波及率が低い」ことは、第２映像コンテンツを放送することで、第２コンテンツサーバへアクセスした視聴者が少ないことを意味する。したがって、第２映像コンテンツを放送する場合には、第２コンテンツサーバに広告を載せたとしても、広告効果は低いと判断することができる。
【００１９】
波及率は、所定の映像コンテンツに対する所定のコンテンツサーバへのアクセス数を所定の母数で割ることで算出される。波及率の詳細については、後で説明する。
【００２０】
映像コンテンツは、例えば、放送される番組コンテンツ（以下、「テレビ番組」と記載する）、又は、コマーシャルメッセージ（以下、「テレビＣＭ」と記載する）などの放送コンテンツである。テレビ番組は、例えば、ニュース、ドラマ、スポーツ、アニメ、ドキュメンタリー、バラエティなどの各種の番組である。
【００２１】
図１に示すように、情報収集システム１は、映像再生装置３０と、サーバ装置４０とを備える。本実施の形態では、情報収集システム１は、複数の映像再生装置３０を備える。情報収集システム１は、さらに、広告主１０と、放送局２０とを備える。広告主１０と、放送局２０と、映像再生装置３０と、サーバ装置４０とは、インターネット５０を介して接続されている。なお、インターネット５０は、通信ネットワークの一例である。
【００２２】
以下では、本実施の形態に係る情報収集システム１の構成要素について、図面を用いて詳細に説明する。
【００２３】
［１−２．広告主］
広告主１０は、例えば、広告代理店などであり、広告情報を生成する。広告情報は、例えば、テレビＣＭ又はインターネット広告（ウェブ広告）である。広告主１０は、テレビＣＭを放送局２０に提供し、インターネット広告をコンテンツサーバ４１に提供する。
【００２４】
広告主１０は、本実施の形態に係る情報収集システム１が収集する情報を利用する。具体的には、広告主１０は、波及率を利用して、広告効果を精度良く把握することができる。
【００２５】
広告主１０は、例えば、サーバ装置４０が提供する波及率提供ＡＰＩ（Ａｐｐｌｉｃａｔｉｏｎ  Ｐｒｏｇｒａｍｍｉｎｇ  Ｉｎｔｅｒｆａｃｅ）を利用することで、映像コンテンツ（テレビ番組）とコンテンツサーバ（ウェブページ）とに対応する波及率を取得することができる。これにより、広告主１０は、どのテレビ番組にテレビＣＭを提供すれば広告効果が高いか、あるいは、どのテレビ番組の放送中にどのウェブページにインターネット広告を提供すれば広告効果が高いかを判断することができる。
【００２６】
波及率提供ＡＰＩは、波及率テーブル１４７を生成するプログラムである。詳細については、後で説明する。
【００２７】
［１−３．放送局］
放送局２０は、放送を介して、映像コンテンツを送信する。放送は、放送波に限らず、ケーブルテレビなどの有線放送、ネットワークを介した放送、例えばＩＰネットワークで配信されるＩＰ放送などでもよい。
【００２８】
図２は、本実施の形態に係る放送局２０の構成を示すブロック図である。図２に示すように、放送局２０は、通信部１０１と、制御部１０２と、放送送信部１０３と、記憶部１０４とを備える。
【００２９】
通信部１０１は、インターネット５０を介してサーバ装置４０と通信するための通信インタフェースである。本実施の形態では、通信部１０１は、制御部１０２による制御に基づいて、記憶部１０４に記憶される番組メタ情報１０６をメタ情報サーバ４２に送信する。
【００３０】
制御部１０２は、放送局２０を構成する各構成要素を制御するコントローラである。制御部１０２は、プログラムが格納された不揮発性メモリ、プログラムを実行するための一時的な記憶領域である揮発性メモリ、入出力ポート、プログラムを実行するプロセッサなどを有する。制御部１０２は、例えば、番組メタ情報１０６を生成し、記憶部１０４に記憶するとともに、通信部１０１を介してメタ情報サーバ４２に送信する。
【００３１】
放送送信部１０３は、放送を介して、映像コンテンツを送信する。具体的には、放送送信部１０３は、記憶部１０４に記憶された放送番組１０５を送信する。
【００３２】
記憶部１０４は、放送番組１０５と、番組メタ情報１０６とを記憶するための記憶装置である。記憶部１０４は、例えば、ＨＤＤ（Ｈａｒｄ  Ｄｉｓｋ  Ｄｒｉｖｅ）又はフラッシュメモリなどの半導体メモリである。
【００３３】
放送番組１０５は、映像コンテンツの一例であり、放送によって送信される放送コンテンツである。具体的には、放送番組１０５は、テレビ番組又はテレビＣＭである。
【００３４】
図３は、本実施の形態に係る番組メタ情報１０６を示す図である。具体的には、図３の１行分のレコードが１つの番組メタ情報１０６である。
【００３５】
番組メタ情報１０６は、映像コンテンツ（例えば、テレビ番組）の付属情報である。例えば、番組メタ情報１０６は、テレビ番組の内容に対応付けられた情報である。例えば、１つの映像コンテンツに対して、１つ又は複数の番組メタ情報１０６が対応付けられていてもよい。
【００３６】
番組メタ情報１０６は、図３に示すように、チャンネルＩＤと、番組ＩＤと、メタ情報キーワードと、有効期間とを含む。
【００３７】
チャンネルＩＤは、番組メタ情報１０６に対応する映像コンテンツを送信する放送を示すチャンネル情報である。番組ＩＤは、番組メタ情報１０６に対応する映像コンテンツに割り当てられた識別情報である。メタ情報キーワードは、番組メタ情報１０６の主要情報であり、「○○レストラン」などの映像コンテンツの内容を代表するキーワードである。有効期間は、メタ情報キーワードが有効な期間である。有効期間は、例えば、テレビ番組の放送時間、又は、その一部である。有効期間は、絶対的な日時を示し、例えば、放送されている時間を示す。あるいは、有効期間は、番組開始時刻を基準とした相対的な時刻を示してもよい。
【００３８】
例えば、「ＣＨ１」の放送チャンネルで放送される「Ｐｒｏｇｒａｍ００１」のテレビ番組において、「２０１５年２月２０日の１７：２０〜１７：３０」の間に、「○○レストラン」に関する情報が放送される場合に、図３の１行目の番組メタ情報１０６が生成される。
【００３９】
なお、図１に示すように、放送局２０は、広告主１０と同様に、波及率提供ＡＰＩを利用してもよい。これにより、放送局２０は、放送したテレビ番組に対する波及率を取得することができる。したがって、放送局２０は、取得した波及率を、例えば、テレビ番組の広告枠の費用決定及び販売促進などに利用することができる。
【００４０】
［１−４．映像再生装置］
映像再生装置３０は、コンテンツサーバ４１にアクセス可能な装置であり、放送を介して送信された映像コンテンツを再生する。本実施の形態では、映像再生装置３０は、複数のコンテンツサーバ４１にアクセス可能である。図１に示すように、映像再生装置３０は、テレビ受信機３１と、端末装置３２とを備える。テレビ受信機３１と端末装置３２とは、ホームネットワーク３３を介して接続されている。なお、映像再生装置３０は、複数の端末装置３２を備えてもよい。また、映像再生装置３０は、複数のテレビ受信機３１を備えてもよい。
【００４１】
ホームネットワーク３３は、例えば、Ｗｉ−Ｆｉ（登録商標）又はＢｌｕｅｔｏｏｔｈ（登録商標）などの無線通信規格に基づいた通信ネットワークの一例である。ホームネットワーク３３は、例えば、所定の無線通信規格に基づいた通信が可能な無線ルータなどを含んでいる。なお、ホームネットワーク３３は、ＬＡＮケーブルなどの有線で接続されたネットワーク、又は、有線と無線との組み合わせでもよい。
【００４２】
［１−４−１．テレビ受信機（映像受信装置）］
テレビ受信機３１は、放送を介して、映像コンテンツを受信する映像受信装置の一例である。テレビ受信機３１は、ディスプレイを備え、受信した映像コンテンツをディスプレイに表示する。テレビ受信機３１は、ホームネットワーク３３を介して、端末装置３２と通信する。
【００４３】
図４は、本実施の形態に係るテレビ受信機３１の構成を示すブロック図である。図４に示すように、テレビ受信機３１は、放送受信部１１１と、制御部１１２と、表示部１１３と、通信部１１４と、読み出し部１１５とを備える。
【００４４】
放送受信部１１１は、放送を介して、映像コンテンツを受信する。具体的には、放送受信部１１１は、放送局２０から送信される放送波を受信し、受信した放送波に重畳された映像コンテンツを受信する。
【００４５】
制御部１１２は、テレビ受信機３１を構成する各構成要素を制御するコントローラである。制御部１１２は、プログラムが格納された不揮発性メモリ、プログラムを実行するための一時的な記憶領域である揮発性メモリ、入出力ポート、プログラムを実行するプロセッサなどを有する。図４に示すように、制御部１１２は、再生部１１２ａと、送信部１１２ｂとを備える。
【００４６】
再生部１１２ａは、放送を介して受信された映像コンテンツを再生する。本実施の形態では、再生部１１２ａは、放送受信部１１１によって受信された映像コンテンツを再生する。具体的には、再生部１１２ａは、受信された映像コンテンツをリアルタイムで再生する。また、再生部１１２ａは、読み出し部１１５によって読み出された映像コンテンツを再生する。
【００４７】
送信部１１２ｂは、通信部１１４を介して、受信機ステータス情報１１６を端末装置３２に送信する。送信部１１２ｂは、通信部１１４を介して、さらに、受信機ＩＤを送信してもよい。受信機ＩＤは、テレビ受信機３１に固有の識別情報であり、テレビ受信機３１を一意に特定するための識別情報である。
【００４８】
表示部１１３は、液晶ディスプレイ（Ｌｉｑｕｉｄ  Ｃｒｙｓｔａｌ  Ｄｉｓｐｌａｙ：ＬＣＤ）などを有する表示出力装置である。表示部１１３は、再生部１１２ａによって再生された映像コンテンツを表示する。例えば、表示部１１３は、放送中のテレビ番組、又は、録画されたテレビ番組を表示する。
【００４９】
通信部１１４は、ホームネットワーク３３に接続された機器と通信する通信インタフェースである。具体的には、通信部１１４は、端末装置３２と通信する。また、通信部１１４は、ホームネットワーク３３及びインターネット５０を介して、サーバ装置４０などと通信してもよい。
【００５０】
通信部１１４は、例えば、Ｗｉ−Ｆｉ（登録商標）又はＢｌｕｅｔｏｏｔｈ（登録商標）などの無線通信規格に基づいた無線通信を行う。本実施の形態では、通信部１１４は、制御部１１２による制御に基づいて、受信機ステータス情報１１６を端末装置３２に送信する。
【００５１】
読み出し部１１５は、記録媒体３４から映像コンテンツを読み出す。記録媒体３４には、放送を介して受信された映像コンテンツが記録されている。なお、記録媒体３４に記録された映像コンテンツは、テレビ受信機３１が受信した映像コンテンツでもよく、あるいは、他の放送受信装置によって受信された映像コンテンツでもよい。記録媒体３４は、例えば、ＢＤ（Ｂｌｕ−ｒａｙ（登録商標）  Ｄｉｓｃ）、ＤＶＤ（Ｄｉｇｉｔａｌ  Ｖｅｒｓａｔｉｌｅ  Ｄｉｓｃ）又はＨＤＤなどである。記録媒体３４には、例えば、映像コンテンツの放送チャンネルを示すチャンネル情報が、映像コンテンツに対応付けられて記録されていてもよい。
【００５２】
放送受信部１１１からの映像コンテンツをリアルタイムに再生する場合、受信機ステータス情報１１６は、再生部１１２ａが再生中の映像コンテンツを特定するための映像特定情報の一例である。具体的には、受信機ステータス情報１１６は、チャンネル情報を含んでいる。
【００５３】
チャンネル情報は、映像コンテンツの放送チャンネルを示す情報である。具体的には、放送受信部１１１が受信中のチャンネルを示す情報である。
【００５４】
上記のようにリアルタイムに再生する場合、受信機ステータス情報１１６は、さらに、時刻情報を含んでもよい。時刻情報は、再生中の時刻を示す情報である。時刻情報は、例えば、放送受信部１１１が映像コンテンツを受信した時刻（受信中の時刻）を示す。
【００５５】
また、読み出し部１１５から記録媒体３４から映像コンテンツを読み出す場合、受信機ステータス情報１１６は、チャンネル情報と時刻情報とを含んでいる。チャンネル情報は、読み出し部１１５が読み出し中の映像コンテンツに対応するチャンネルを示す情報である。この場合、チャンネル情報は、読み出し部１１５によって記録媒体３４から読み出すことで取得される。時刻情報は、放送時刻に換算可能な時刻、例えば、放送開始時間と放送開始からの時刻（再生位置情報）とを示す。
【００５６】
また、リアルタイムに再生する場合でも記録媒体３４から読み出す場合でも受信機ステータス情報１１６は、さらに、テレビ受信機３１の状態を示す情報を含んでもよい。具体的には、受信機ステータス情報１１６は、テレビ受信機３１が設置された地域を示す地域情報、テレビ受信機３１の表示部１１３の音量を示す音量情報、又は、テレビ受信機３１に割り当てられたＩＰアドレスを含んでもよい。さらに、テレビ受信機３１において、放送視聴のために設定された情報（ユーザ名、ログインアカウント情報、電話番号など）も含んでもよい。
【００５７】
［１−４−２．端末装置］
端末装置３２は、ホームネットワーク３３を介して、テレビ受信機３１と通信する。端末装置３２は、例えば、携帯電話、スマートフォン、タブレット端末などの携帯情報端末である。
【００５８】
図５は、本実施の形態に係る端末装置３２の構成を示すブロック図である。図５に示すように、端末装置３２は、通信部１２１と、制御部１２２と、表示部１２３と、受付部１２４と、記憶部１２５とを備える。
【００５９】
通信部１２１は、ホームネットワーク３３に接続された機器と通信する通信インタフェースである。具体的には、通信部１２１は、テレビ受信機３１と通信する。さらに、通信部１２１は、ホームネットワーク３３及びインターネット５０を介して、サーバ装置４０と通信する。
【００６０】
本実施の形態では、通信部１２１は、制御部１２２による制御に基づいて、受信機ステータス情報１１６をテレビ受信機３１から受信する。また、通信部１２１は、アクセス要求及び受信機ステータス情報１１６などをコンテンツサーバ４１に送信する。また、通信部１２１は、アクセス要求に対応するウェブコンテンツをコンテンツサーバ４１から受信する。
【００６１】
制御部１２２は、端末装置３２を構成する各構成要素を制御するコントローラである。制御部１２２は、プログラムが格納された不揮発性メモリ、プログラムを実行するための一時的な記憶領域である揮発性メモリ、入出力ポート、プログラムを実行するプロセッサなどを有する。
【００６２】
制御部１２２は、映像コンテンツの再生中にコンテンツサーバ４１にアクセスする場合に、映像特定情報をサーバ装置４０に送信する。具体的には、制御部１２２は、受信機ステータス情報１１６をサーバ装置４０に送信する。
【００６３】
本実施の形態では、制御部１２２は、通信部１２１を介して、テレビ受信機３１から受信機ステータス情報１１６を取得する。さらに、制御部１２２は、テレビ受信機３１から受信機ＩＤを取得してもよい。
【００６４】
制御部１２２は、テレビ受信機３１から取得した受信機ステータス情報１１６を、記憶部１２５に記憶された情報端末ＩＤ１２６などとともに、通信部１２１を介して、サーバ装置４０に送信する。具体的には、制御部１２２は、受信機ステータス情報１１６と、情報端末ＩＤ１２６、ユーザ属性情報１２７、世帯ＩＤ１２８及び端末属性情報１２９とをコンテンツサーバ４１に送信する。なお、制御部１２２は、受信機ステータス情報１１６などとともに、受信機ＩＤを送信してもよい。
【００６５】
制御部１２２は、受付部１２４が受け付けたユーザ操作が指定するコンテンツサーバ４１にアクセスする。具体的には、制御部１２２は、複数のコンテンツサーバ４１のうち、ユーザ操作が指定するコンテンツサーバ４１にアクセス要求を送信する。制御部１２２は、アクセス要求を送信する際に、受信機ステータス情報１１６などを送信する。つまり、制御部１２２は、受付部１２４が受け付けるコンテンツを表示させるためのユーザ操作（アクセスイベント）をトリガとして、受信機ステータス情報１１６などをコンテンツサーバ４１に送信する。
【００６６】
制御部１２２は、通信部１２１を介して、アクセス要求に対応するウェブコンテンツをコンテンツサーバ４１から取得する。制御部１２２は、取得したウェブコンテンツを表示部１２３に表示させる。
【００６７】
なお、制御部１２２は、通信部１２１を介して、少なくとも１回、メタ情報サーバ４２に対して登録要求を送信する。登録要求は、例えば、情報端末ＩＤ１２６、ユーザ属性情報１２７、世帯ＩＤ１２８及び端末属性情報１２９を登録するための要求である。なお、登録要求は、受信機ＩＤの登録要求を含んでもよい。
【００６８】
表示部１２３は、ＬＣＤなどを有する表示出力装置である。本実施の形態では、表示部１２３は、通信部１２１を介してコンテンツサーバ４１から受信したウェブコンテンツを表示する。具体的には、表示部１２３は、受付部１２４が受け付けたユーザ操作に基づいて、再生中の映像コンテンツのメタ情報が反映されたウェブコンテンツ（ウェブサイトなど）を表示する。
【００６９】
例えば、表示部１２３は、映像コンテンツに関わるウェブ広告が表示されたウェブサイトを表示する。あるいは、表示部１２３は、検索用のテキストボックスには映像コンテンツに関するキーワードが入力された状態で、ウェブサイトを表示する。
【００７０】
受付部１２４は、ユーザ操作を受け付ける。具体的には、受付部１２４は、ボタン、タッチパネルなどの入力装置である。本実施の形態では、受付部１２４は、コンテンツサーバ４１を指定するユーザ操作を受け付ける。具体的には、ユーザ操作は、複数のコンテンツサーバ４１の中から、端末装置３２がアクセスしようとするコンテンツサーバ４１（すなわち、アクセス対象のコンテンツサーバ）を指定するための操作である。例えば、受付部１２４は、ウェブ閲覧用のアプリケーションを起動する操作、あるいは、所定のブラウザを起動し、所定のウェブサイトへアクセスする操作を受け付ける。
【００７１】
記憶部１２５は、情報端末ＩＤ１２６と、ユーザ属性情報１２７と、世帯ＩＤ１２８と、端末属性情報１２９とを記憶するための記憶装置である。記憶部１２５は、例えば、ＨＤＤ又はフラッシュメモリなどの半導体メモリである。
【００７２】
情報端末ＩＤ１２６は、映像再生装置３０を特定するための端末特定情報の一例である。情報端末ＩＤ１２６は、例えば、端末装置３２に固有の識別情報であり、端末装置３２を一意に特定するための識別情報である。
【００７３】
ユーザ属性情報１２７は、端末装置３２を使用するユーザの特性を示す情報である。例えば、ユーザ属性情報１２７は、ユーザの年齢、性別、住所（位置）、職業、収入などを示す。
【００７４】
世帯ＩＤ１２８は、世帯に固有の識別情報であり、世帯を一意に特定するための情報である。世帯は、端末装置３２のユーザが所属し、同一の住居で起居する集団である。１つの世帯ＩＤ１２８が、複数の端末装置３２に割り当てられてもよい。
【００７５】
端末属性情報１２９は、端末装置３２の特性を示す情報である。例えば、端末属性情報１２９は、端末装置３２の機種名、メーカー名、ソフトウェアの種類（バージョン）などを示す。
【００７６】
［１−５．サーバ装置］
サーバ装置４０は、広告効果を把握するための情報を収集する装置である。図１に示すように、サーバ装置４０は、コンテンツサーバ４１と、メタ情報サーバ４２とを備える。本実施の形態では、サーバ装置４０は、複数のコンテンツサーバ４１を備える。
【００７７】
［１−５−１．コンテンツサーバ］
コンテンツサーバ４１は、映像再生装置３０がアクセス可能なサーバである。本実施の形態では、コンテンツサーバ４１は、複数の端末装置３２の各々からアクセスされる。具体的には、コンテンツサーバ４１は、端末装置３２からのコンテンツ要求に応じて、ウェブコンテンツを生成し、生成したウェブコンテンツを端末装置３２に送信する。また、コンテンツサーバ４１は、端末装置３２から受信した映像特定情報をメタ情報サーバ４２に送信する。
【００７８】
なお、コンテンツサーバ４１は、インターネット５０を介して、メタ情報サーバ４２及び端末装置３２と接続されている。
【００７９】
図６は、本実施の形態に係るコンテンツサーバ４１の構成を示すブロック図である。図６に示すように、コンテンツサーバ４１は、通信部１３１と、制御部１３２と、コンテンツ生成部１３３と、記憶部１３４とを備える。
【００８０】
通信部１３１は、インターネット５０を介してメタ情報サーバ４２と通信するための通信インタフェースである。本実施の形態では、通信部１３１は、制御部１３２による制御に基づいて、記憶部１３４に記憶されたメディアＩＤ１３５を、端末装置３２から受信した受信機ステータス情報１１６などとともに、メタ情報サーバ４２に送信する。
【００８１】
制御部１３２は、コンテンツサーバ４１を構成する各構成要素を制御するコントローラである。制御部１３２は、プログラムが格納された不揮発性メモリ、プログラムを実行するための一時的な記憶領域である揮発性メモリ、入出力ポート、プログラムを実行するプロセッサなどを有する。図６に示すように、制御部１３２は、受信部１３２ａと、送信部１３２ｂとを備える。
【００８２】
受信部１３２ａは、端末装置３２の制御部１２２によって送信された映像特定情報を受信する。本実施の形態では、受信部１３２ａは、通信部１３１を介して、受信機ステータス情報１１６及び情報端末ＩＤ１２６などを端末装置３２から受信する。
【００８３】
受信部１３２ａは、メタ情報サーバ４２からメタ情報を受信する。具体的には、受信部１３２ａは、通信部１３１を介して、メタ情報サーバ４２からメタ情報キーワードを取得する。
【００８４】
送信部１３２ｂは、受信部１３２ａによって受信された映像特定情報と、メディアＩＤ１３５とを含むメタ要求を、メタ情報サーバ４２に送信する。本実施の形態では、送信部１３２ｂは、通信部１３１を介して、受信機ステータス情報１１６及び情報端末ＩＤ１２６などを、記憶部１３４に記憶されたメディアＩＤ１３５とともに、メタ要求としてメタ情報サーバ４２に送信する。送信部１３２ｂは、受信部１３２ａから映像特定情報が送信された場合に、メタ要求をメタ情報サーバ４２に送信する。
【００８５】
また、送信部１３２ｂは、コンテンツ生成部１３３によって生成されたウェブコンテンツを端末装置３２に送信する。具体的には、送信部１３２ｂは、通信部１３１を介して、メタ情報が反映されたウェブコンテンツを送信する。
【００８６】
コンテンツ生成部１３３は、ウェブコンテンツを生成する。具体的には、コンテンツ生成部１３３は、受信部１３２ａによって受信されたメタ情報が反映されたウェブコンテンツを生成する。例えば、コンテンツ生成部１３３は、メタ情報に対応する映像コンテンツに関わるウェブ広告が表示されたウェブサイトを生成する。あるいは、コンテンツ生成部１３３は、検索用のテキストボックスにメタ情報キーワードが入力された状態のウェブサイトを生成する。
【００８７】
記憶部１３４は、メディアＩＤ１３５を記憶するための記憶装置である。記憶部１３４は、例えば、ＨＤＤ又はフラッシュメモリなどの半導体メモリである。
【００８８】
メディアＩＤ１３５は、コンテンツサーバ４１に固有のサーバ識別情報の一例である。メディアＩＤ１３５は、複数のコンテンツサーバ４１の各々を一意に特定するための識別情報である。
【００８９】
［１−５−２．メタ情報サーバ］
メタ情報サーバ４２は、メタ情報を管理するサーバ装置である。具体的には、メタ情報サーバ４２は、放送局２０から送信される番組メタ情報１０６を管理する。また、メタ情報サーバ４２は、広告効果を把握するための情報を収集する。具体的には、メタ情報サーバ４２は、アクセスログ情報を収集する。メタ情報サーバ４２は、収集したアクセスログ情報に基づいて、コンテンツサーバ４１にアクセスされた回数を集計し、波及率を算出する。メタ情報サーバ４２は、波及率提供ＡＰＩを広告主１０及び放送局２０に提供することで、広告主１０及び放送局２０に波及率を利用させることができる。
【００９０】
なお、メタ情報サーバ４２は、インターネット５０を介して、複数のコンテンツサーバ４１、広告主１０及び放送局２０と接続されている。
【００９１】
図７は、本実施の形態に係るメタ情報サーバ４２の構成を示すブロック図である。図７に示すように、メタ情報サーバ４２は、通信部１４１と、制御部１４２と、記憶部１４３とを備える。
【００９２】
通信部１４１は、インターネット５０を介して複数のコンテンツサーバ４１、広告主１０及び放送局２０と通信するための通信インタフェースである。本実施の形態では、通信部１４１は、制御部１４２による制御に基づいて、メタ情報をコンテンツサーバ４１に送信する。また、通信部１４１は、コンテンツサーバ４１からメタ要求を受信する。
【００９３】
制御部１４２は、メタ情報サーバ４２を構成する各構成要素を制御するコントローラである。制御部１４２は、プログラムが格納された不揮発性メモリ、プログラムを実行するための一時的な記憶領域である揮発性メモリ、入出力ポート、プログラムを実行するプロセッサなどを有する。図７に示すように、制御部１４２は、メタ情報管理部１４２ａと、ログ情報生成部１４２ｂと、解析部１４２ｃとを備える。
【００９４】
メタ情報管理部１４２ａは、放送局２０から受信したメタ情報を管理する。具体的には、メタ情報管理部１４２ａは、通信部１４１を介して、放送局２０から番組メタ情報１０６を受信する。メタ情報管理部１４２ａは、番組メタ情報１０６にメタ情報ＩＤを付与して、メタ管理テーブル１４４に記録する。
【００９５】
また、メタ情報管理部１４２ａは、メタ要求に含まれる映像特定情報によって特定される映像コンテンツのメタ情報を、コンテンツサーバ４１に送信する。具体的には、メタ情報管理部１４２ａは、通信部１４１を介して、コンテンツサーバ４１からメタ要求を受信する。メタ情報管理部１４２ａは、メタ要求に含まれる受信機ステータス情報１１６に基づいてメタ管理テーブル１４４を参照することで、映像コンテンツのメタ情報を特定する。メタ情報管理部１４２ａは、特定したメタ情報を記憶部１４３から読み出して、通信部１４１を介して、メタ要求を送信したコンテンツサーバ４１に送信する。
【００９６】
ログ情報生成部１４２ｂは、映像特定情報とサーバ特定情報とを対応付けてアクセスログ情報として記録する。サーバ特定情報は、コンテンツサーバ４１を特定するための情報である。本実施の形態では、ログ情報生成部１４２ｂは、メタ要求に含まれるサーバ識別情報をサーバ特定情報として記録する。
【００９７】
解析部１４２ｃは、アクセスログ情報に基づいて、映像コンテンツの再生中にコンテンツサーバ４１がアクセスされた回数（以下、「アクセス回数」と記載する）を集計する。本実施の形態では、解析部１４２ｃは、アクセスログ情報に含まれる端末特定情報によって特定される映像再生装置のうち一意な映像再生装置の数を、アクセス回数として集計する。具体的には、解析部１４２ｃは、アクセスログテーブル１４５に含まれる情報端末ＩＤのうち一意な情報端末ＩＤの数を、アクセス回数として集計する。
【００９８】
解析部１４２ｃは、コンテンツサーバ毎に、アクセス回数を集計する。具体的には、解析部１４２ｃは、映像コンテンツ毎、かつ、コンテンツサーバ毎にアクセス回数を集計する。本実施の形態では、解析部１４２ｃは、期間の指定を受け付け、指定された期間内のアクセス回数を集計する。つまり、解析部１４２ｃは、所定期間のアクセスログ情報からアクセス回数を集計する。所定期間のアクセスログ情報とは、対応付けられた時刻情報が所定期間に含まれるアクセスログ情報である。
【００９９】
解析部１４２ｃは、さらに、集計した回数を、情報収集システム１が備える複数の映像再生装置３０の少なくとも一部の数で割ることで、波及率を算出する。本実施の形態では、解析部１４２ｃは、集計した回数を、アクセスログ情報に含まれる端末特定情報によって特定される映像再生装置の数で割ることで、波及率を算出する。具体的には、解析部１４２ｃは、アクセスログテーブル１４５に含まれる情報端末ＩＤの数を、波及率の母数として用いる。なお、解析部１４２ｃは、情報収集システム１が備える複数の映像再生装置３０の全部の数を、波及率の母数として用いてもよい。
【０１００】
解析部１４２ｃは、コンテンツサーバ毎に、波及率を算出する。具体的には、解析部１４２ｃは、映像コンテンツ毎、かつ、コンテンツサーバ毎に波及率を算出する。本実施の形態では、解析部１４２ｃは、期間の指定を受け付け、指定された期間内の波及率を算出する。
【０１０１】
なお、波及率の算出方法などの制御部１４２の詳細な動作については、後で説明する。
【０１０２】
記憶部１４３は、メタ管理テーブル１４４、アクセスログテーブル１４５、世帯テーブル１４６及び波及率テーブル１４７を記憶するための記憶装置である。記憶部１４３は、例えば、ＨＤＤ又はフラッシュメモリなどの半導体メモリである。
【０１０３】
［２．システムが収集する情報］
以下では、本実施の形態に係る情報収集システム１が収集する情報について図面を用いて説明する。具体的には、記憶部１４３に記憶される各テーブルについて説明する。
【０１０４】
［２−１．メタ管理テーブル］
メタ管理テーブル１４４は、映像コンテンツのメタ情報を含んでいる。図８は、本実施の形態に係るメタ管理テーブル１４４を示す図である。図８に示すように、メタ管理テーブル１４４では、メタ情報ＩＤに番組メタ情報１０６（図３参照）が対応付けられている。つまり、メタ管理テーブル１４４では、複数の番組メタ情報１０６の各々に固有のメタ情報ＩＤが対応付けられている。
【０１０５】
［２−２．アクセスログテーブル］
アクセスログテーブル１４５は、アクセスログ情報を含んでいる。図９は、本実施の形態に係るアクセスログテーブル１４５を示す図である。図９に示すように、アクセスログテーブル１４５では、メディアＩＤと、アクセス時刻（時刻情報）と、受信機ステータス情報と、情報端末ＩＤと、メタ情報ＩＤとが対応付けられている。
【０１０６】
メディアＩＤは、コンテンツサーバ４１から送信されるメタ要求に含まれるメディアＩＤ１３５である。
【０１０７】
アクセス時刻は、通信部１４１がコンテンツサーバ４１からメタ要求を受信した時刻である。あるいは、アクセス時刻は、コンテンツサーバ４１がメタ要求を送信した時刻、又は、コンテンツサーバ４１が端末装置３２からアクセス要求を受信した時刻でもよい。また、受信機ステータス情報が時刻情報を含む場合、アクセス時刻は、当該時刻情報でもよい。
【０１０８】
受信機ステータス情報は、コンテンツサーバ４１から送信されるメタ要求に含まれる受信機ステータス情報１１６である。受信機ステータス情報は、例えば、チャンネル情報である。
【０１０９】
情報端末ＩＤは、コンテンツサーバ４１から送信されるメタ要求に含まれる端末特定情報の一例である。具体的には、情報端末ＩＤは、コンテンツサーバ４１にアクセスしようとしている端末装置３２に固有の識別情報である。
【０１１０】
メタ情報ＩＤは、メタ管理テーブル１４４を参照することで、追記される情報である。具体的には、メタ情報管理部１４２ａは、メタ要求を受けた場合にメタ管理テーブル１４４を参照することで、メタ要求に含まれる受信機ステータス情報１１６が表す映像コンテンツのメタ情報を特定する。メタ情報ＩＤは、特定されたメタ情報に付与されたメタ情報ＩＤである。
【０１１１】
コンテンツサーバ４１からメタ要求が受信される度に、１行分のレコード（アクセスログ情報）が記録される。例えば、１行目のレコードは、「Ｍｅｄｉａ００１」のコンテンツサーバ４１に対して、「ＣＨ１」のチャンネルの放送を受信中のテレビ受信機３１と通信する「Ｔｅｒｍｉｎａｌ００００１」の端末装置３２が、「２０１５年２月７日の１７：２５」にアクセスしたことを示している。さらに、１行目のレコードは、「Ｔｅｒｍｉｎａｌ００００１」の端末装置３２に「Ｍｅｔａ００１」のメタ情報を送信したことを示している。
【０１１２】
［２−３．世帯テーブル］
世帯テーブル１４６は、端末装置３２のユーザが所属する世帯に関する世帯情報を含んでいる。図１０は、本実施の形態に係る世帯テーブル１４６を示す図である。図１０に示すように、世帯テーブル１４６では、世帯ＩＤと、情報端末ＩＤと、ユーザ属性情報と、端末属性情報とが対応付けられている。
【０１１３】
世帯テーブル１４６は、端末装置３２からの登録要求に基づいて生成される。具体的には、制御部１４２は、通信部１４１を介して端末装置３２から情報端末ＩＤ１２６、ユーザ属性情報１２７、世帯ＩＤ１２８及び端末属性情報１２９を取得し、世帯テーブル１４６に記録する。
【０１１４】
世帯テーブル１４６の世帯ＩＤ、情報端末ＩＤ、ユーザ属性情報及び端末属性情報は、それぞれ、端末装置３２から取得した、世帯ＩＤ１２８、情報端末ＩＤ１２６、ユーザ属性情報１２７及び端末属性情報１２９に相当する。例えば、図１０の１行目のレコードに示すように、１つの世帯ＩＤに複数の端末装置３２が対応付けられている場合が存在する。具体的には、１行目のレコードは、「Ｈｏｕｓｅｈｏｌｄ０００１」の世帯に、「３５歳の男」と「３２歳の女」とが存在し、「Ｔｅｒｍｉｎａｌ００００１」及び「Ｔｅｒｍｉｎａｌ００００２」の２つの端末装置３２を使用していることを示している。また、２つの端末装置３２のＯＳ（Ｏｐｅｒａｔｉｏｎ  Ｓｙｓｔｅｍ）が「ＯＳ０１」であることを示している。
【０１１５】
［２−４．波及率テーブル］
波及率テーブル１４７は、映像コンテンツ毎、かつ、コンテンツサーバ毎の波及率を示すテーブルである。波及率テーブル１４７は、解析部１４２ｃによって生成される。
【０１１６】
図１１は、本実施の形態に係る波及率テーブル１４７を示す図である。縦軸は、複数の映像コンテンツ（テレビ番組）を示し、横軸は、複数のコンテンツサーバ４１（ネットメディア）を示している。
【０１１７】
本実施の形態では、波及率は、指定された期間（以下、「指定期間」と記載する）毎に算出される。図１１は、指定期間内における映像コンテンツとコンテンツサーバ４１との組み合わせに対応する波及率を示している。
【０１１８】
例えば、図１１は、指定期間内では、「番組ＸＸ」及び「番組ＹＹ」などが放送されたことを示している。また、指定期間内で、「ネットメディアＡ」、「ネットメディアＢ」などのコンテンツサーバ４１がアクセスされたことを示している。また、例えば、図１１に示す例では、「番組ＸＸ」を再生中に「ネットメディアＢ」にアクセスしたユーザ数（端末装置３２の個数）は、「ｙｙｙ」であり、波及率は「１０％」であることを示している。
【０１１９】
波及率は、アクセス回数を所定の母数で割ることで算出される。本実施の形態では、アクセス回数は、アクセスログテーブル１４５に含まれるアクセスログ情報のうち、指定期間に含まれ、所定の映像コンテンツ（番組ＩＤ）及び所定のメディアＩＤに対応する１以上の情報端末ＩＤのうち一意な情報端末ＩＤの個数である。所定の母数は、アクセスログテーブル１４５に含まれるアクセスログ情報のうち、指定期間に含まれる複数の情報端末ＩＤのうち一意な情報端末ＩＤの個数である。
【０１２０】
このように、本実施の形態では、コンテンツサーバ４１毎の波及率の算出に、一意な情報端末ＩＤの個数を利用する。具体的には、同一の端末装置３２が指定期間中に、同一の映像コンテンツを再生しながら、同一のコンテンツサーバ４１に複数回アクセスしたとしても、アクセス回数を１回として集計する。ただし、同一の端末装置３２が指定期間中に、同一の映像コンテンツを再生しながら、別のコンテンツサーバ４１をアクセスした場合には、アクセス回数をコンテンツサーバ毎に１回として集計する。なお、一意な情報端末ＩＤの個数ではなく、情報端末ＩＤの個数そのものを利用してもよい。この場合、同一の端末装置３２が指定期間中に、同一の映像コンテンツを再生しながら、同一のコンテンツサーバ４１に複数回アクセスした場合、アクセス回数は、実際のアクセス回数（すなわち、複数回）として集計される。
【０１２１】
なお、波及率の算出には、一意な情報端末ＩＤの個数ではなく、単純にアクセス回数を用いてもよい。
【０１２２】
［３．動作］
［３−１．全体動作］
図１２は、本実施の形態に係る情報収集システム１の動作（情報収集方法）を示すシーケンス図である。
【０１２３】
まず、本実施の形態では、放送局２０は、番組メタ情報１０６をメタ情報サーバ４２に送信する（Ｓ１０）。メタ情報サーバ４２は、放送局２０から送信された番組メタ情報１０６を受信し、受信した番組メタ情報１０６をメタ管理テーブル１４４に記録する（Ｓ１２）。具体的には、メタ情報サーバ４２は、受信した番組メタ情報１０６にメタ情報ＩＤを付与して記録する。
【０１２４】
一方で、端末装置３２は、テレビ受信機３１との間で通信を行う（Ｓ２０）。例えば、端末装置３２は、テレビ受信機３１に接続要求を送信する。テレビ受信機３１は、接続要求に対する応答として、受信機ＩＤを端末装置３２に送信する（Ｓ２２）。
【０１２５】
端末装置３２は、登録要求をメタ情報サーバ４２に送信する（Ｓ２４）。具体的には、端末装置３２は、情報端末ＩＤ１２６、ユーザ属性情報１２７、世帯ＩＤ１２８及び端末属性情報１２９をメタ情報サーバ４２に送信する。このとき、端末装置３２は、受信機ＩＤをメタ情報サーバ４２に送信してもよい。メタ情報サーバ４２は、端末装置３２から送信された情報を世帯テーブル１４６に登録する（Ｓ２６）。
【０１２６】
なお、メタ管理テーブル１４４への記録（Ｓ１２）及び世帯テーブル１４６への記録（Ｓ２６）は、メタ情報サーバ４２が情報を受信した場合に行われる。したがって、いずれが先に実行されてもよい。
【０１２７】
放送局２０は、所定のタイミングで、放送を介して、映像コンテンツを送信する（Ｓ３０）。テレビ受信機３１は、放送を介して映像コンテンツを受信し、受信した映像コンテンツを再生する（Ｓ３２）。
【０１２８】
このとき、任意のタイミングで、端末装置３２にアクセスイベントが発生する（Ｓ４０）。アクセスイベントが発生した後、以降の処理が実行される。
【０１２９】
アクセスイベントは、コンテンツサーバ４１へのアクセスを要求するユーザ操作を受け付けることである。例えば、受付部１２４が、端末装置３２のユーザが所定のアプリケーションを起動する操作を行ったことを受け付ける。
【０１３０】
アクセスイベントが発生した後、端末装置３２は、テレビ受信機３１に受信機ステータス情報１１６の送信を要求する（Ｓ４１）。テレビ受信機３１は、当該要求に対する応答として、受信機ステータス情報１１６を端末装置３２に送信する。受信機ステータス情報１１６は、当該要求を受けた時にテレビ受信機３１が受信中の放送チャンネルを示すチャンネル情報を含んでいる。
【０１３１】
端末装置３２は、テレビ受信機３１から送信された受信機ステータス情報１１６を、情報端末ＩＤ１２６とともに、コンテンツサーバ４１に送信する（Ｓ４３）。送信先のコンテンツサーバ４１は、アクセスイベントによって受付部１２４が受け付けたユーザ操作によって指定されるコンテンツサーバである。
【０１３２】
コンテンツサーバ４１は、メタ要求をメタ情報サーバ４２に送信する（Ｓ４４）。具体的には、コンテンツサーバ４１は、端末装置３２から送信された受信機ステータス情報１１６及び情報端末ＩＤ１２６を、メディアＩＤ１３５とともに、メタ情報サーバ４２に送信する。
【０１３３】
メタ情報サーバ４２は、メタ要求を受信し、受信したメタ要求に含まれる受信機ステータス情報１１６などをアクセスログテーブル１４５に記録する（Ｓ４５）。具体的には、メタ情報サーバ４２は、受信機ステータス情報１１６、情報端末ＩＤ１２６及びメディアＩＤ１３５に、時刻情報を対応付けてアクセスログ情報として記録する。なお、詳細な処理については、図１３を用いて後で説明する。
【０１３４】
メタ情報サーバ４２は、メタ要求に対応する映像コンテンツのメタ情報をコンテンツサーバ４１に送信する（Ｓ４６）。具体的には、メタ情報サーバ４２は、メタ情報キーワードをコンテンツサーバ４１に送信する。
【０１３５】
コンテンツサーバ４１は、メタ情報を受信し、受信したメタ情報を反映したウェブコンテンツを生成する（Ｓ４７）。コンテンツサーバ４１は、生成したウェブコンテンツを端末装置３２に送信する（Ｓ４８）。これにより、端末装置３２の表示部１２３には、例えば、メタ情報キーワードに関連するウェブ広告、すなわち、テレビ受信機３１で視聴中のテレビ番組に関連するウェブ広告が表示されたウェブサイトなどが表示される。
【０１３６】
また、任意のタイミングで、メタ情報サーバ４２は、波及率テーブル１４７を生成する（Ｓ５０）。例えば、メタ情報サーバ４２は、放送局２０又は広告主１０からの指示に基づいて、波及率テーブル１４７を生成する。あるいは、メタ情報サーバ４２は、決められた時刻（例えば、一時間毎のタイミングなど）に波及率テーブル１４７を生成してもよい。波及率テーブル１４７の生成処理の詳細については、図１４を用いて後で説明する。
【０１３７】
［３−２．アクセスログテーブルの生成］
図１３は、本実施の形態に係るアクセスログテーブル１４５の生成方法を示すフローチャートである。具体的には、図１３は、図１２のＳ４５の詳細な動作の一例を示している。
【０１３８】
ログ情報生成部１４２ｂは、コンテンツサーバ４１から受信した受信機ステータス情報１１６、情報端末ＩＤ１２６及びメディアＩＤ１３５に時刻情報を対応付けて、アクセスログ情報として記録する（Ｓ１００）。例えば、ログ情報生成部１４２ｂは、アクセスログテーブル１４５の１つのレコードに、受信機ステータス情報１１６、情報端末ＩＤ１２６及びメディアＩＤ１３５を記録する。このとき、ログ情報生成部１４２ｂは、同一のレコードの時刻情報のフィールドに、受信機ステータス情報１１６などを通信部１４１が受信した時刻を記録する。なお、時刻情報は、コンテンツサーバ４１が送信した時刻などでもよい。
【０１３９】
次に、ログ情報生成部１４２ｂは、受信した受信機ステータス情報１１６に含まれるチャンネル情報を抽出する（Ｓ１０２）。また、ログ情報生成部１４２ｂは、受信機ステータス情報１１６に時刻情報が含まれる場合は、当該時刻情報を抽出する。受信機ステータス情報１１６に時刻情報が含まれない場合は、受信機ステータス情報１１６を受信した時刻を利用する。
【０１４０】
次に、メタ情報管理部１４２ａは、メタ管理テーブル１４４を参照して、チャンネル情報がチャンネルＩＤに一致し、かつ、時刻情報が有効期間内に含まれるメタ情報ＩＤ及びメタ情報キーワードを抽出する（Ｓ１０４）。このとき、メタ情報管理部１４２ａは、当該条件に合致するメタ情報ＩＤ及びメタ情報キーワードが複数ある場合は、複数のメタ情報ＩＤ及びメタ情報キーワードを抽出してもよい。
【０１４１】
ログ情報生成部１４２ｂは、メタ情報管理部１４２ａによって抽出されたメタ情報ＩＤを、Ｓ１００で記録したレコードのメタ情報ＩＤのフィールドに記録する（Ｓ１０６）。つまり、ログ情報生成部１４２ｂは、コンテンツサーバ４１から受信した受信機ステータス情報１１６などに、抽出されたメタ情報ＩＤを対応付けて記録する。なお、複数のメタ情報ＩＤが抽出された場合、ログ情報生成部１４２ｂは、複数のメタ情報ＩＤを同一のレコードに記録してもよい。
【０１４２】
メタ情報管理部１４２ａは、通信部１４１を介して、抽出したメタ情報キーワードをコンテンツサーバ４１に送信する（Ｓ１０８）。
【０１４３】
以上のようにして、例えば、図９に示すようなアクセスログテーブル１４５を生成することができる。
【０１４４】
［３−３．波及率テーブルの生成］
図１４は、本実施の形態に係る波及率テーブル１４７の生成方法を示すフローチャートである。具体的には、図１４は、図１２のＳ５０の詳細な動作の一例を示している。なお、波及率テーブル１４７の生成方法は、例えば、波及率提供ＡＰＩなどのプログラムによって実行される。
【０１４５】
まず、解析部１４２ｃは、波及率の算出期間を決定する（Ｓ１１０）。例えば、解析部１４２ｃは、指定期間を広告主１０又は放送局２０などから受け付ける。解析部１４２ｃは、受け付けた指定期間を波及率の算出期間として決定する。波及率の算出期間は、例えば、「２０１５年２月１１日の１６：００〜１７：００」などの絶対的な時間である。あるいは、「月曜日の１６：００〜１７：００」などの周期的に繰り返される時間でもよい。
【０１４６】
次に、解析部１４２ｃは、アクセスログテーブル１４５を参照して、算出期間に含まれるアクセス時刻に対応するデータを抽出する（Ｓ１１２）。具体的には、解析部１４２ｃは、アクセスログテーブル１４５に含まれるデータのうち、算出期間に含まれるアクセス時刻に対応する１以上のレコードの全てを抽出する。
【０１４７】
次に、解析部１４２ｃは、抽出したデータから一意なメディアＩＤを抽出する（Ｓ１１４）。一意なメディアＩＤとは、抽出したデータに含まれる全てのメディアＩＤのうち、重複するメディアＩＤを除いた残りのメディアＩＤである。
【０１４８】
次に、解析部１４２ｃは、抽出したデータから一意な番組ＩＤを抽出する（Ｓ１１６）。具体的には、解析部１４２ｃは、抽出したデータからメタ情報ＩＤを抽出する。解析部１４２ｃは、メタ管理テーブル１４４を参照して、抽出したメタ情報ＩＤに対応付けられたメタ情報を抽出する。解析部１４２ｃは、抽出したメタ情報に含まれる一意な番組ＩＤを抽出する。一意な番組ＩＤとは、抽出したメタ情報に含まれる全ての番組ＩＤのうち、重複する番組ＩＤを除いた残りの番組ＩＤである。
【０１４９】
なお、アクセスログテーブル１４５を生成する際に、番組ＩＤを対応付けておいてもよい。この場合、解析部１４２ｃは、アクセスログテーブル１４５を参照するだけで、一意な番組ＩＤを抽出することができる。
【０１５０】
次に、解析部１４２ｃは、抽出したメディアＩＤを横軸、抽出した番組ＩＤを縦軸とする波及率テーブル１４７を生成する（Ｓ１１８）。
【０１５１】
次に、解析部１４２ｃは、Ｓ１１２で抽出したデータから一意な情報端末ＩＤの総数を取得する（Ｓ１２０）。一意な情報端末ＩＤとは、抽出したデータに含まれる全ての情報端末ＩＤのうち、重複する情報端末ＩＤを除いた残りの情報端末ＩＤである。つまり、取得した一意な情報端末ＩＤの総数は、算出期間内に、複数のコンテンツサーバ４１のいずれかにアクセスした端末装置３２の総数に相当する。同一の端末装置３２が複数のコンテンツサーバ４１に、又は、１つのコンテンツサーバ４１に複数回アクセスした場合は、１回のアクセスとして集計される。
【０１５２】
次に、解析部１４２ｃは、一意なメディアＩＤの一覧から１つを選択する（Ｓ１２２）。具体的には、解析部１４２ｃは、波及率テーブル１４７の横軸の１つを選択する。このとき、解析部１４２ｃは、まだ選択されていないメディアＩＤを選択する。
【０１５３】
次に、解析部１４２ｃは、一意な番組ＩＤの一覧から１つを選択する（Ｓ１２４）。具体的には、解析部１４２ｃは、波及率テーブル１４７の縦軸の１つを選択する。このとき、解析部１４２ｃは、まだ選択されていない番組ＩＤを選択する。
【０１５４】
次に、解析部１４２ｃは、ステップＳ１１２で抽出したデータから、選択したメディアＩＤ及び番組ＩＤに対応する一意な情報端末ＩＤの数を、アクセス回数として集計する。そして、解析部１４２ｃは、集計したアクセス回数を、ステップＳ１２０で取得した総数で割ることで波及率を算出する（Ｓ１２６）。解析部１４２ｃは、算出した波及率（及び集計したアクセス回数）を、選択したメディアＩＤ及び番組ＩＤに対応する欄に記録する。
【０１５５】
解析部１４２ｃは、選択した番組ＩＤが最後の番組ＩＤであるか否かを判定する（Ｓ１２８）。すなわち、解析部１４２ｃは、選択した番組ＩＤ以外に、波及率を算出していない番組ＩＤがあるか否かを判定する。最後の番組ＩＤではない、すなわち、波及率を算出していない番組ＩＤがある場合（Ｓ１２８でＮｏ）、ステップＳ１２４に戻り、番組ＩＤの選択と波及率の算出とを繰り返す。
【０１５６】
最後の番組ＩＤである、すなわち、全ての番組ＩＤの波及率を算出した場合（Ｓ１２８でＹｅｓ）、解析部１４２ｃは、選択したメディアＩＤが最後のメディアＩＤであるか否かを判定する（Ｓ１３０）。すなわち、解析部１４２ｃは、選択したメディアＩＤ以外に、波及率を算出していないメディアＩＤがあるか否かを判定する。最後のメディアＩＤではない、すなわち、波及率を算出していないメディアＩＤがある場合（Ｓ１３０で３Ｎｏ）、ステップＳ１２２に戻り、メディアＩＤの選択、番組ＩＤの選択及び波及率の算出を繰り返す。
【０１５７】
最後のメディアＩＤである、すなわち、全てのメディアＩＤの波及率を算出した場合（Ｓ１３０でＹｅｓ）、波及率テーブル１４７の生成処理を終了する。
【０１５８】
以上のようにして、例えば、図１１に示すような波及率テーブル１４７を生成することができる。
【０１５９】
なお、本実施の形態では、ステップＳ１２０で、解析部１４２ｃは、抽出したデータから一意な情報端末ＩＤの総数を取得したが、これに限らない。解析部１４２ｃは、例えば、情報収集システム１が備える複数の端末装置３２の全部の数（総数）を取得してもよい。これにより、例えば、指定期間中にテレビ番組を視聴していないユーザ、及び、テレビ番組を視聴しているものの、端末装置３２によってウェブサイトの閲覧を行っていないユーザを、波及率の算出の母数に利用することができる。
【０１６０】
［４．まとめ］
以上のように、本実施の形態に係る情報収集システム１は、コンテンツサーバ４１にアクセス可能な映像再生装置３０と、サーバ装置４０とを備える情報収集システム１であって、映像再生装置３０は、放送を介して受信された映像コンテンツを再生する再生部１１２ａと、映像コンテンツの再生中にコンテンツサーバ４１にアクセスする場合に、当該映像コンテンツを特定するための映像特定情報をサーバ装置４０に送信する制御部１２２とを備え、サーバ装置４０は、制御部１２２によって送信された映像特定情報を受信する受信部１３２ａと、受信部１３２ａによって受信された映像特定情報と、コンテンツサーバ４１を特定するためのサーバ特定情報とを対応付けてアクセスログ情報として記録するログ情報生成部１４２ｂと、アクセスログ情報に基づいて、映像コンテンツの再生中にコンテンツサーバ４１がアクセスされた回数を集計する解析部１４２ｃとを備える。
【０１６１】
これにより、映像コンテンツの再生中にコンテンツサーバ４１がアクセスされた回数を集計するので、放送を介して送信される映像コンテンツによる広告効果をより精度良く把握することができる。例えば、本実施の形態によれば、映像コンテンツの視聴を契機としてコンテンツサーバ４１がアクセスされた回数を把握することができる。つまり、コンテンツサーバ４１がアクセスされた原因を把握することができる。簡単に言い換えると、テレビ番組を見て、所定のウェブサイトにアクセスした視聴者の数を把握することができる。
【０１６２】
したがって、例えば、映像コンテンツの再生中のコンテンツサーバ４１へのアクセス回数が多い場合、広告主１０は、当該映像コンテンツの放送中にコンテンツサーバ４１にウェブ広告を提供することで、ウェブ広告の広告効果を高めることができると判断することができる。あるいは、映像コンテンツの再生中のコンテンツサーバ４１へのアクセス回数が多い場合、放送局２０は、コンテンツサーバ４１へのアクセス回数が多いことを利点として広告主１０に、映像コンテンツのテレビＣＭ枠の販売促進に利用することができる。
【０１６３】
また、例えば、本実施の形態では、複数の映像再生装置３０は、複数のコンテンツサーバ４１にアクセス可能であり、解析部１４２ｃは、コンテンツサーバ４１毎に、アクセス回数を集計する。
【０１６４】
これにより、映像コンテンツの放送中に、どのコンテンツサーバ４１がアクセスされやすいかを把握することができる。
【０１６５】
また、例えば、本実施の形態では、情報収集システム１は、映像再生装置３０を複数備え、アクセスログ情報では、さらに、映像再生装置３０を特定するための端末特定情報が対応付けられ、解析部１４２ｃは、アクセスログ情報に含まれる端末特定情報によって特定される映像再生装置３０のうち一意な映像再生装置３０の数を、アクセス回数として集計する。
【０１６６】
これにより、同一の映像再生装置３０（又は、端末装置３２）が複数回コンテンツサーバ４１にアクセスしたとしても、アクセス回数を１回として集計することができる。したがって、１人の視聴者のアクセス回数には依存されずに、実際にコンテンツサーバ４１にアクセスした視聴者の数を把握することができる。
【０１６７】
また、例えば、本実施の形態では、解析部１４２ｃは、さらに、所定期間のアクセスログ情報から集計した回数を、情報収集システム１が備える複数の映像再生装置３０の少なくとも一部の数で割ることで、波及率を算出する。
【０１６８】
これにより、アクセス回数を波及率で表すことができるので、所定の母数に対するアクセス回数を把握することができる。したがって、広告効果をより精度良く把握することができる。
【０１６９】
また、例えば、本実施の形態では、解析部１４２ｃは、さらに、所定期間のアクセスログ情報から集計した回数を、当該所定期間のアクセスログ情報に含まれる端末特定情報によって特定される映像再生装置３０の数で割ることで、波及率を算出する。
【０１７０】
これにより、広告効果をより精度良く把握することができる。アクセスログ情報に含まれる映像再生装置３０（又は、端末装置３２）の数は、映像コンテンツの視聴者のうち複数のコンテンツサーバ４１のいずれかにアクセスした視聴者の数に相当する。したがって、波及率は、複数のコンテンツサーバ４１のうち、どのコンテンツサーバがアクセスされた比率が多いかを示す指標となる。したがって、波及率を知ることで、映像コンテンツの再生中にアクセスされやすいコンテンツサーバを把握することができる。
【０１７１】
また、例えば、本実施の形態では、映像再生装置３０は、さらに、放送を介して、映像コンテンツを受信する放送受信部１１１を備える。
【０１７２】
これにより、映像コンテンツをリアルタイムで試聴する視聴者の動向を把握することができるので、広告効果を精度良く把握することができる。
【０１７３】
また、例えば、本実施の形態では、映像再生装置３０は、再生部１１２ａと放送受信部１１１とを備えるテレビ受信機３１と、制御部１２２を備える端末装置３２とを備え、端末装置３２は、さらに、テレビ受信機３１と通信する通信部１２１を備え、制御部１２２は、さらに、通信部１２１を介して、テレビ受信機３１から映像特定情報を取得する。
【０１７４】
これにより、例えば、テレビ受信機３１と端末装置３２とが通信可能なシステムにおいて、テレビ受信機３１でテレビ番組を視聴しながら端末装置３２を操作して所定のウェブサイトへアクセスする視聴者などの動向を把握することができる。
【０１７５】
また、例えば、本実施の形態では、映像特定情報は、映像コンテンツの放送チャンネルを示すチャンネル情報である。
【０１７６】
これにより、少ない情報量で映像コンテンツを特定することができる。
【０１７７】
また、例えば、本実施の形態では、端末装置３２は、さらに、コンテンツサーバ４１を指定するユーザ操作を受け付ける受付部１２４を備え、制御部１２２は、さらに、受付部１２４が受け付けたユーザ操作が指定するコンテンツサーバ４１にアクセスする。
【０１７８】
これにより、例えば、テレビ番組の視聴者が自らアクセスしたウェブサイトなどを把握することができるので、広告効果を精度良く把握することができる。
【０１７９】
また、例えば、本実施の形態では、映像再生装置３０は、さらに、映像コンテンツが記録された記録媒体３４から映像コンテンツを読み出す読み出し部１１５を備える。
【０１８０】
これにより、例えば、録画したテレビ番組などの視聴者の動向も把握することができるので、広告効果をより精度良く把握することができる。
【０１８１】
また、例えば、本実施の形態では、サーバ装置４０は、受信部１３２ａを備えるコンテンツサーバ４１と、ログ情報生成部１４２ｂ及び解析部１４２ｃを備えるメタ情報サーバ４２とを備え、コンテンツサーバ４１は、さらに、受信部１３２ａによって受信された映像特定情報と、コンテンツサーバ４１に固有のサーバ識別情報とを含むメタ要求を、メタ情報サーバ４２に送信する送信部１３２ｂと、ウェブコンテンツを生成するコンテンツ生成部１３３とを備え、送信部１３２ｂは、さらに、コンテンツ生成部１３３によって生成されたウェブコンテンツを映像再生装置３０に送信し、メタ情報サーバ４２は、さらに、メタ要求に含まれる映像特定情報によって特定される映像コンテンツのメタ情報を、コンテンツサーバ４１に送信するメタ情報管理部１４２ａを備え、ログ情報生成部１４２ｂは、メタ要求に含まれるサーバ識別情報をサーバ特定情報として記録し、受信部１３２ａは、メタ情報管理部１４２ａによって送信されたメタ情報を受信し、コンテンツ生成部１３３は、受信部１３２ａによって受信されたメタ情報が反映されたウェブコンテンツを生成する。
【０１８２】
これにより、例えば、映像再生装置３０（又は、端末装置３２）からの要求に応じて、再生中の映像コンテンツに関するメタ情報が反映されたウェブコンテンツを映像再生装置３０に表示させることができる。したがって、例えば、視聴者がテレビ番組で興味を持った内容に関するウェブ広告がウェブサイトに表示させることができる。あるいは、検索用テキストボックスにテレビ番組に関するキーワードが入力済みの状態でウェブサイトを表示させることができる。よって、ユーザ利便性を高めることができる。
【０１８３】
また、例えば、本実施の形態に係る情報収集方法では、コンテンツサーバ４１にアクセス可能な映像再生装置３０と、サーバ装置４０とを備える情報収集システム１における情報収集方法であって、映像再生装置３０が、放送を介して受信された映像コンテンツを再生し、映像再生装置３０が、映像コンテンツの再生中にコンテンツサーバ４１にアクセスする場合に、当該映像コンテンツを特定するための映像特定情報をサーバ装置４０に送信し、サーバ装置４０が、送信された映像特定情報を受信し、サーバ装置４０が、受信された映像特定情報と、コンテンツサーバ４１を特定するためのサーバ特定情報とを対応付けてアクセスログ情報として記録し、サーバ装置４０が、アクセスログ情報に基づいて、映像コンテンツの再生中にコンテンツサーバ４１がアクセスされた回数を集計する。
【０１８４】
これにより、放送を介して送信される映像コンテンツによる広告効果をより精度良く把握することができる。
【０１８５】
なお、これらの包括的又は具体的な態様は、システム、装置、集積回路、コンピュータプログラム又はコンピュータ読み取り可能なＣＤ−ＲＯＭなどの記録媒体で実現されてもよく、システム、装置、集積回路、コンピュータプログラム及び記録媒体の任意な組み合わせで実現されてもよい。
【０１８６】
（変形例）
以下では、本実施の形態に係る情報収集システム１の変形例について説明する。
【０１８７】
例えば、上記の実施の形態では、波及率を算出する際に情報端末ＩＤの個数を利用した。これに対して、情報端末ＩＤの個数ではなく、世帯ＩＤの個数を利用してもよい。つまり、端末装置３２毎にアクセス回数を集計するのではなく、世帯毎にアクセス回数を集計してもよい。
【０１８８】
具体的には、図１４におけるステップＳ１２０では、解析部１４２ｃは、抽出データから一意な情報端末ＩＤを抽出した後、世帯テーブル１４６を参照する。解析部１４２ｃは、世帯テーブル１４６を参照することで、一意な情報端末ＩＤに対応する一意な世帯ＩＤの総数を取得する。ステップＳ１２６においても同様である。
【０１８９】
これにより、個人に対する広告効果ではなく、世帯に対する広告効果を把握することができる。
【０１９０】
また、例えば、上記の実施の形態では、波及率テーブル１４７の縦軸に映像コンテンツ（テレビ番組）を利用したが、細分化してもよい。例えば、所定のテレビ番組に対して、端末属性情報、ユーザ属性情報及び時刻情報の少なくとも１つを利用して、より細かな単位で波及率を算出してもよい。
【０１９１】
図１５は、本変形例に係る波及率テーブルを示す図である。図１５に示す波及率テーブルでは、テレビ番組毎に、かつ、男女別に波及率を算出する。
【０１９２】
具体的には、図１４におけるステップＳ１２６では、解析部１４２ｃは、抽出データから、選択したメディアＩＤ及び番組ＩＤに対応する一意な情報端末ＩＤを抽出した後、世帯テーブル１４６を参照する。解析部１４２ｃは、世帯テーブル１４６のユーザ識別情報のフィールドを参照することで、抽出した一意な情報端末ＩＤに対応するデータのうち、一意なユーザ識別情報を取得する。ここでは、「男」及び「女」の２つの一意なユーザ識別情報を取得する。解析部１４２ｃは、ユーザ識別情報に基づいて一意な情報端末ＩＤを分類することで、ユーザ識別情報毎に、一意な情報端末ＩＤの数を集計し、波及率を算出する。これにより、例えば、図１５に示すように、テレビ番組毎に、「男」及び「女」の各々の波及率を算出することができる。
【０１９３】
なお、男女に限らず、年齢（及び、年齢層）、収入層、地域などで細分化することもできる。また、端末装置のＯＳ及びＯＳのバージョンなどで細分化することもできる。あるいは、番組内での時間帯、又は、時刻などで細分化することもできる。
【０１９４】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。
【０１９５】
そこで、以下では、他の実施の形態を例示する。
【０１９６】
例えば、上記の実施の形態では、波及率の母数は、指定期間中に複数のコンテンツサーバ４１のいずれかにアクセスした端末装置３２の総数である例について示したが、これに限らない。波及率の母数は、指定期間中に単一のコンテンツサーバ４１にアクセスした端末装置３２の総数でもよい。つまり、波及率は、映像コンテンツ毎に１００％になるように算出されてもよい。
【０１９７】
また、例えば、映像再生装置３０は、放送受信部１１１を備えなくてもよい。例えば、映像再生装置３０は、読み出し部１１５を備えるメディアプレーヤーでもよい。また、映像再生装置３０は、読み出し部１１５を備えなくてもよい。
【０１９８】
また、例えば、上記の実施の形態では、映像再生装置３０がテレビ受信機３１と端末装置３２とを備える例について示したが、これに限らない。映像再生装置３０は、単一の装置でもよく、例えば、テレビ受信機に設けられた通信部からコンテンツサーバ４１のコンテンツを受信してもよく、あるいは、端末装置３２で放送を受信してもよい。サーバ装置４０についても同様に、単一の装置でもよい。
【０１９９】
また、例えば、サーバ装置４０は、複数のコンテンツサーバ４１を備えなくてもよい。例えば、サーバ装置４０は、１つのみのコンテンツサーバ４１を備えてもよい。この場合、コンテンツサーバ４１毎の波及率の比較はできないが、例えば、情報収集システム１が備える複数の映像再生装置３０のうち、コンテンツサーバ４１にアクセスした映像再生装置３０の個数などを把握することができる。例えば、端末装置３２を保持する複数のユーザのうち、テレビ番組を視聴し、かつ、コンテンツサーバ４１にアクセスした視聴者の数及びその割合を把握することができる。
【０２００】
また、例えば、情報収集システム１は、複数の映像再生装置３０を備えなくてもよい。例えば、情報収集システム１は、１つのみの映像再生装置３０を備えてもよい。この場合、情報収集システム１では、例えば、１つのみの映像再生装置３０が所定期間内にアクセスした回数などを把握することができる。
【０２０１】
また、例えば、上記の情報収集システム１は、広告主１０と放送局２０とを備えなくてもよい。
【０２０２】
以上のように、本開示における技術の例示として、実施の形態を説明した。そのために、添付図面及び詳細な説明を提供した。
【０２０３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０４】
また、上述の実施の形態は、本開示における技術を例示するためのものであるから、特許請求の範囲又はその均等の範囲において種々の変更、置き換え、付加、省略などを行うことができる。
【産業上の利用可能性】
【０２０５】
本開示に係る情報収集システム及び情報収集方法は、例えば、広告配信システムなどに利用することができる。
【符号の説明】
【０２０６】
１  情報収集システム
１０  広告主
２０  放送局
３０  映像再生装置
３１  テレビ受信機
３２  端末装置
３３  ホームネットワーク
３４  記録媒体
４０  サーバ装置
４１  コンテンツサーバ
４２  メタ情報サーバ
５０  インターネット
１０１、１１４、１２１、１３１、１４１  通信部
１０２、１１２、１２２、１３２、１４２  制御部
１０３  放送送信部
１０４、１２５、１３４、１４３  記憶部
１０５  放送番組
１０６  番組メタ情報
１１１  放送受信部
１１２ａ  再生部
１１２ｂ、１３２ｂ  送信部
１１３、１２３  表示部
１１５  読み出し部
１１６  受信機ステータス情報
１２４  受付部
１２６  情報端末ＩＤ
１２７  ユーザ属性情報
１２８  世帯ＩＤ
１２９  端末属性情報
１３２ａ  受信部
１３３  コンテンツ生成部
１３５  メディアＩＤ
１４２ａ  メタ情報管理部
１４２ｂ  ログ情報生成部
１４２ｃ  解析部
１４４  メタ管理テーブル
１４５  アクセスログテーブル
１４６  世帯テーブル
１４７  波及率テーブル
【図１】
2016163140.tif 000003
【図２】
2016163140.tif 000004
【図３】
2016163140.tif 000005
【図４】
2016163140.tif 000006
【図５】
2016163140.tif 000007
【図６】
2016163140.tif 000008
【図７】
2016163140.tif 000009
【図８】
2016163140.tif 000010
【図９】
2016163140.tif 000011
【図１０】
2016163140.tif 000012
【図１１】
2016163140.tif 000013
【図１２】
2016163140.tif 000014
【図１３】
2016163140.tif 000015
【図１４】
2016163140.tif 000016
【図１５】
2016163140.tif 000017